(57)【要約】  ディスクケーブルの弛みが原因のトラブル発生を確実に防止することを含めて、ディスクケーブルによって飼料搬送路内に飼料を取り残すことなく、効率よく安定して搬送する飼料搬送装置を提供する。  ケーブル駆動部１５は、駆動ホイール２５外周の歯部からディスクケーブルａを接線方向下流側へ繰り出す繰り出し始め位置Ｐに、そのディスクケーブルａの繰り出し方向Ｓをガイドして弛みを取る弛み取り部材Ｒを備える。配管ｐ等による飼料搬送路には、その上方から、飼料搬送路内を走行するディスクケーブルａの浮き上がりを押えて飼料搬送路内の底面部位に沿って案内するケーブル押え金具７０を備える。【特許請求の範囲】
【請求項１】
給餌器の設置レイアウトに応じ複数のコーナー部を設けてエンドレスに形成した飼料搬送路内に、多数の飼料搬送用ディスクをその中心にケーブルを貫通させて等間隔に組み付けたディスクケーブルを、エンドレスに張り渡して配設すると共に各ディスクをケーブル駆動部に備えた駆動ホイールの歯に噛み合わせて巻装し、該駆動ホイールを駆動軸で支持する駆動モータにより駆動して前記ディスクケーブルを前記飼料搬送路に沿って走行させながら、飼料を搬送するようにした飼料搬送装置において、
前記ケーブル駆動部は、前記駆動ホイール外周の歯部から前記ディスクケーブルを接線方向下流側へ繰り出す繰り出し始め位置に、そのディスクケーブルの繰り出し方向をガイドして弛みを取る弛み取り部材を備え、
該弛み取り部材は、前記繰り出し始め位置において前記駆動ホイールの歯と前記ディスクケーブルのディスク間を遮るガイド板部と、前記駆動軸と回転自在に係合させて同軸に連結し前記ディスクケーブルの繰り出し方向に合わせて前記ガイド板部のガイド角度位置を調整可能に前記ケーブル駆動部に取り付ける支持アーム部と、からなることを特徴とする、飼料搬送装置。
【請求項２】
請求項１に記載の飼料搬送装置において、前記飼料搬送路は、複数の搬送パイプを接続したエンドレスの配管で形成し、その配管内に無端状に繋いだ前記ディスクケーブルを内蔵する一方、前記搬送パイプには、その搬送パイプ内の上方から、前記配管内を走行する前記ディスクケーブルの浮き上がりを押えて前記配管内の底面部位に沿って案内する、ケーブル押え金具を備えてなることを特徴とする、飼料搬送装置。
【請求項３】
請求項２に記載の飼料搬送装置において、前記搬送パイプには、前記ケーブル押え金具の取付位置に切欠き穴を設ける一方、前記ケーブル押え金具を、前記搬送パイプの外周に抱き付けて着脱自在に装着する円弧管状の取付カバーと、前記搬送パイプの内周面に固着する丸棒製の押え棒体とで構成し、該押え棒体は、前記取付カバーを前記搬送パイプに装着したとき、前記切欠き穴を通して前記搬送パイプ内の前記ディスクケーブル上のケーブル走行方向に沿って入り込む凸状に曲げ成形してなることを特徴とする、飼料搬送装置。
【請求項４】
請求項１に記載の飼料搬送装置において、前記飼料搬送路は、上側開放の溝型をなし、溝底部が前記ディスクケーブルのディスク形状に合わせて湾曲した雨樋状の飼料樋で形成してなることを特徴とする、飼料搬送装置。
【請求項５】
請求項４に記載の飼料搬送装置において、飼料樋からなる前記飼料搬送路は、飼料投入位置を、上方から前記飼料搬送路内へと飼料を手動で直接投入可能な高さ位置に形成してなることを特徴とする、飼料搬送装置。
【請求項６】
請求項４又は５に記載の飼料搬送装置において、前記飼料搬送路は、複数の樋状レールを接続したエンドレスの飼料樋で形成し、その飼料樋内に無端状に繋いだ前記ディスクケーブルを配設する一方、前記樋状レールには、その樋状レール上に被せて取り付け、前記飼料樋内を走行する前記ディスクケーブルの浮き上がりを押えて前記飼料樋内の溝底面に沿って案内する、ケーブル押え金具を備えてなることを特徴とする、飼料搬送装置。
【請求項７】
請求項６に記載の飼料搬送装置において、前記ケーブル押え金具は、前記樋状レールの開放側上縁に係合させて着脱自在に被せる取付カバーと、該取付カバーの内面に固着する丸棒製の押え棒とからなり、該押え棒を、前記取付カバーを前記樋状レール上に被せたとき、その樋状レール内の前記ディスクケーブル上でケーブル走行方向に沿って入り込む凸状に曲げ成形してなることを特徴とする、飼料搬送装置。
【請求項８】
請求項１乃至７に記載の飼料搬送装置において、前記ケーブル駆動部は、前記飼料搬送路のコーナー部に設置し、各コーナー部のケーブル駆動部別に、前記駆動ホイールの歯に前記ディスクケーブルのディスクを噛み合わせて巻装し、該ディスクケーブルを前記各駆動モータでコーナー駆動してなることを特徴とする、飼料搬送装置。
【請求項９】
請求項１乃至８に記載の飼料搬送装置において、前記駆動ホイールは、各々に前記ディスクケーブルを巻装したとき、各々のリム外周上に、各ディスクを立てて載せる凹面部と、ディスク間のケーブル部を載せて担ぐ凸部とを交互に設け、前記ディスクケーブルを、前記ディスク間のケーブル部において前記凸部と２つの前記凹面部との間の３点で支持して前記リム外周と同心的な円弧状に巻装してなることを特徴とする、飼料搬送装置。
【請求項１０】
請求項９に記載の飼料搬送装置において、前記駆動ホイールは、前記リムと、該リムを間に挟んで同軸に配した一対のリング状弾性パッドとを、それぞれボスの外周に着脱自在に嵌め付けて備え、前記弾性パッドは、各々の外周に断面円弧のテーパ面を設け、それらテーパ面を対向させて前記ボスに嵌め付けると、前記駆動ホイールの外周に、それに巻装する前記ディスクケーブルのディスクが咬合可能な断面円形状のディスクガイド溝を形成してなり、前記リムは、重ね合わせたときに前記凹面部と前記凸部とが形成されるように、各々の外周に凹部と凸部を交互に設けた同形状のリング状スペーサ板を複数枚備えて構成し、使用する前記ディスクケーブルのディスクの径サイズに応じて、前記ボスに嵌め付ける前記スペーサ板の枚数を増減することにより、前記ディスクが咬合する前記弾性パット間の間隔を調整可能に構成してなることを特徴とする、飼料搬送装置。
【発明の詳細な説明】
【技術分野】
【０００１】
本発明は、エンドレスの配管等で形成した飼料搬送路内に、多数の飼料搬送用ディスクを中心にケーブルを貫通させて等間隔に組み付けたディスクケーブルを、エンドレスに張り渡して配設し、このディスクケーブルを駆動させて肥育牛・養豚・養鶏用などの飼料を給餌器側へと搬送する飼料搬送装置に関する。
【背景技術】
【０００２】
従来、この種の飼料搬送装置は、図２６に示すように、多数の給餌器１の設置レイアウトに応じて、幾つかコーナー部２ａを設けてエンドレスに形成した配管２内に、ディスクケーブル３を無端状に繋いで内蔵し、配管２の飼料搬送路途中に１つ、ディスクケーブル３の駆動部４を設置した１駆動部方式が一般的であった。この１駆動部方式では、ディスクケーブル３は、配管２のコーナー部２ａでコーナー送り用プーリに巻き掛けると共に、図中一部拡大して内部構造を示すように、ケーブル駆動部４内で駆動ホイール５と従動ホイール６間に掛け渡し、駆動時に、ケーブル駆動部４に備えた駆動モータで駆動ホイール５を駆動回転させることにより、配管２内の飼料搬送路を通して回送するようになっている。【０００３】
ケーブル駆動部４において、駆動ホイール５は、そのリム外周に歯５ａを有するギヤホイールで、駆動モータの駆動軸に直結して軸支し、歯５ａに複数のディスク３ａを噛み合わせた状態でディスクケーブル３を巻き掛ける一方、従動ホイール６は、回転自在に軸支し、リム６ａの外周面上にディスク３ａを立てた係止状態でディスクケーブル３を巻き掛けている。そして、従動ホイール６を、ガイドレール部材７で配管２の長さ方向に移動可能に保持する一方、テンション付与機構８でケーブル走行方向Ｘと逆向きにばね付勢してディスクケーブル３に常時テンションを付与している。こうして配管２内にディスクケーブル３をエンドレスに張り渡し、駆動時は、ディスクケーブル３を、配管２内の飼料搬送路に沿って、一応は、弛みなく引っ張りながら走行させる構造になっている。【０００４】
しかし、１駆動部方式の飼料搬送装置では、ケーブル駆動部４の箱形ケース４ａ内で飛散する飼料の粉塵が湿気でテンション付与機構８の滑車８ａ等に凝着し、これが原因でテンション付与機構８が作動不能となり、その結果、ディスクケーブル３が、駆動ホイール５の外周から、その接線方向下流側へ繰り出される繰り出し始め位置Ｐで弛みを生じてしまう。そうすると、ディスクケーブル３は、弛んだ部分が駆動ホイール５の歯５ａに絡み付き、駆動ホイール５の回転に従って、図２７に示すように外周の歯部に巻き込まれてディスク３ａが歯溝に食い込み、その結果、場合によってはケーブル断線の事態を招き、結局、飼料搬送不能という重大な事態に陥るという問題があった。【０００５】
そこで、従来の飼料搬送装置の中には、図２８に示すように、配管２の各コーナー部２ａの近くにあって、ケーブル走行方向Ｘ上流側の直管部にケーブル駆動部４を付設し、コーナー部２ａの手前で各ケーブル駆動部４を作動してディスクケーブルを走行させる複数駆動部方式の構造にしたものがある（特許文献１参照）。この従来の飼料搬送装置では、図２９（Ａ）に示すように、駆動ホイール５の歯５ａを、上方からディスクケーブル３のディスク３ａに噛み合わせ、駆動モータｍで駆動ホイール５を駆動回転させると、ディスクケーブル３が押し出されるように移動し、しかも、図２８に示すように、コーナー部２ａを円弧形の曲管で形成し、ギヤホイールを用いずに、曲管で直接にディスクケーブル３を案内してコーナー送りする構造にしている。すなわち、配管２内では、ディスクケーブル３をギヤホイールの外周に巻き掛けて送る機構部分がないため、ディスクケーブル３が配管２内で弛む余地が少ない構造になっている。
【特許文献１】特開平８−１４３１２５号公報
【発明の開示】
【発明が解決しようとする課題】
【０００６】
ところが、従来、上述した複数駆動部方式の飼料搬送装置では、駆動ホイール５を駆動回転させてディスクケーブル３を走行させるとき、図２９（Ｂ）に示すように、各ディスク３ａを駆動ホイール５の歯５ａで強く押圧しながら、ディスクケーブル３を押し出す送り機構になっているため、ディスクケーブル３は、駆動ホイール５の押圧力によってディスク３ａが直管部２ｂの内壁面の底面部位２ｃに強く衝突したり、底面部位２ｃを擦りながら削るように走行し、その結果、これが繰り返されると、経時、底面部位２ｃに亀裂や穴が開いて、これら空隙から飼料が漏出してしまう搬送トラブルが発生するという問題点があった。また、コーナー部２ａでは、ギヤホイールを用いず曲管で直接にディスクケーブル３をコーナー送りする構造であるため、ディスクケーブル３は、ディスク３ａが曲管の内壁面を強く擦りながら送られて過大な負荷を受ける結果、その摩擦抵抗がケーブル走行の妨げになって飼料搬送路をスムーズに移動できず、これらが原因で、従来、ディスクケーブル３によっては、飼料搬送路内に飼料を取り残さず、効率よく安定して搬送することができないという重大な問題点があった。【０００７】
そこで、本発明は、飼料搬送装置において、従来の以上のような問題点を考慮して創作されたもので、ディスクケーブルの弛みが原因とするトラブルの発生を確実に防止することを含めて、ディスクケーブルによって飼料搬送路内に飼料を取り残すことなく、効率よく安定して搬送することを課題とする。
【課題を解決するための手段】
【０００８】
上記した課題を解決すべく、請求項１に記載の発明は、たとえば以下の図１〜図６に示す実施の形態のとおり、給餌器Ｃの設置レイアウトに応じ複数のコーナー部１２を設けてエンドレスに形成した飼料搬送路内に、多数の飼料搬送用ディスク２０をその中心にケーブルを貫通させて等間隔に組み付けたディスクケーブルａを、エンドレスに張り渡して配設すると共に各ディスク２０をケーブル駆動部１５に備えた駆動ホイール２５の歯ｇに噛み合わせて巻装し、該駆動ホイール２５を駆動軸１７で支持する駆動モータｍにより駆動して前記ディスクケーブルａを前記飼料搬送路に沿って走行させながら、飼料を搬送するようにした飼料搬送装置Ａにおいて、前記ケーブル駆動部１５は、前記駆動ホイール２５外周の歯部２５ａから前記ディスクケーブルａを接線方向下流側へ繰り出す繰り出し始め位置Ｐに、そのディスクケーブルａの繰り出し方向Ｓをガイドして弛みを取る弛み取り部材Ｒを備え、該弛み取り部材Ｒは、前記繰り出し始め位置Ｐにおいて前記駆動ホイール２５の歯ｇと前記ディスクケーブルａのディスク２０間を遮るガイド板部３５と、前記駆動軸１７と回転自在に係合させて同軸に連結し前記ディスクケーブルａの繰り出し方向Ｓに合わせて前記ガイド板部３５のガイド角度位置を調整可能に前記ケーブル駆動部１５に取り付ける支持アーム部３４と、からなることを特徴とする。【０００９】
請求項２に記載の発明は、請求項１に記載の飼料搬送装置Ａにおいて、たとえば以下の図１７〜図２２に示す実施の形態のとおり、前記飼料搬送路は、複数の搬送パイプ６９を接続したエンドレスの配管ｐで形成し、その配管ｐ内に無端状に繋いだ前記ディスクケーブルａを内蔵する一方、前記搬送パイプ６９には、その搬送パイプ６９内の上方から、前記配管ｐ内を走行する前記ディスクケーブルａの浮き上がりを押えて前記配管ｐ内の底面部位に沿って案内する、ケーブル押え金具７０を備えてなることを特徴とする。【００１０】
請求項３に記載の発明は、請求項２に記載の飼料搬送装置Ａにおいて、たとえば以下の図１７〜図２２に示す実施の形態のとおり、前記搬送パイプ６９には、前記ケーブル押え金具７０の取付位置に切欠き穴６９ａを設ける一方、前記ケーブル押え金具７０を、前記搬送パイプ６９の外周に抱き付けて着脱自在に装着する円弧管状の取付カバー７４と、前記搬送パイプ６９の内周面に固着する丸棒製の押え棒体７５とで構成し、該押え棒体７５は、前記取付カバー７４を前記搬送パイプ６９に装着したとき、前記切欠き穴６９ａを通して前記搬送パイプ６９内の前記ディスクケーブルａ上のケーブル走行方向Ｘに沿って入り込む凸状に曲げ成形してなることを特徴とする。【００１１】
請求項４に記載の発明は、請求項１に記載の飼料搬送装置Ａにおいて、たとえば以下の図１０〜図１５に示す実施の形態のとおり、前記飼料搬送路は、上側開放の溝型をなし、溝底部が前記ディスクケーブルａのディスク形状に合わせて湾曲した雨樋状の飼料樋ｑで形成してなることを特徴とする。【００１２】
請求項５に記載の発明は、請求項４に記載の飼料搬送装置Ａにおいて、たとえば以下の図１６に示す実施の形態のとおり、飼料樋ｑからなる前記飼料搬送路は、飼料投入位置Ｗを、上方から前記飼料搬送路内へと飼料ｂを手動で直接投入可能な高さ位置に形成してなることを特徴とする。【００１３】
請求項６に記載の発明は、請求項４又は５に記載の飼料搬送装置Ａにおいて、たとえば以下の図２３〜図２５に示す実施の形態のとおり、前記飼料搬送路は、複数の樋状レール４０を接続したエンドレスの飼料樋ｑで形成し、その飼料樋ｑ内に無端状に繋いだ前記ディスクケーブルａを配設する一方、前記樋状レール４０には、その樋状レール４０上に被せて取り付け、前記飼料樋ｑ内を走行する前記ディスクケーブルａの浮き上がりを押えて前記飼料樋ｑ内の溝底面に沿って案内する、ケーブル押え金具８０を備えてなることを特徴とする。【００１４】
請求項７に記載の発明は、請求項６に記載の飼料搬送装置Ａにおいて、たとえば以下の図２３〜図２５に示す実施の形態のとおり、前記ケーブル押え金具８０は、前記樋状レール４０の開放側上縁に係合させて着脱自在に被せる取付カバー８１と、該取付カバー８１の内面に固着する押え棒８５とからなり、該押え棒８５を、前記取付カバー８１を前記樋状レール４０上に被せたとき、その樋状レール４０内の前記ディスクケーブルａ上でケーブル走行方向Ｘに沿って入り込む凸状に曲げ成形してなることを特徴とする。【００１５】
請求項８に記載の発明は、請求項１乃至７に記載の飼料搬送装置Ａにおいて、たとえば以下の図７〜図２５に示す実施の形態のとおり、前記ケーブル駆動部１５は、前記飼料搬送路のコーナー部１２に設置し、各コーナー部１２のケーブル駆動部１５別に、前記駆動ホイール２５・４５の歯ｇに前記ディスクケーブルａのディスク２０を噛み合わせて巻装し、該ディスクケーブルａを前記各駆動モータｍでコーナー駆動してなることを特徴とする。【００１６】
請求項９に記載の発明は、請求項１乃至８に記載の飼料搬送装置Ａにおいて、たとえば以下の図１０〜図１５に示す実施の形態のとおり、前記駆動ホイール４５は、各々に前記ディスクケーブルａを巻装したとき、各々のリム４２外周上に、各ディスク２０を立てて載せる凹面部５５と、ディスク２０間のケーブル部１９を載せて担ぐ凸部６０とを交互に設け、前記ディスクケーブルａを、前記ディスク２０間のケーブル部１９において前記凸部６０と２つの前記凹面部５５・５５との間の３点で支持して前記リム４２外周と同心的な円弧状に巻装してなることを特徴とする。【００１７】
請求項１０に記載の発明は、請求項９に記載の飼料搬送装置において、たとえば以下の図１０〜図１５に示す実施の形態のとおり、前記駆動ホイール４５は、前記リム４２と、該リム４２を間に挟んで同軸に配した一対のリング状弾性パッド４３とを、それぞれボス４１の外周に着脱自在に嵌め付けて備え、前記弾性パッド４３は、各々の外周に断面円弧のテーパ面４３ｂを設け、それらテーパ面４３ｂを対向させて前記ボス４１に嵌め付けると、前記駆動ホイール４５の外周に、それに巻装する前記ディスクケーブルａのディスク２０が咬合可能な断面円形状のディスクガイド溝６５を形成してなり、前記リム４２は、重ね合わせたときに前記凹面部５５と前記凸部６０とが形成されるように、各々の外周に凹部５５ａと凸部６０ａを交互に設けた同形状のリング状スペーサ板４９を複数枚備えて構成し、使用する前記ディスクケーブルａのディスク２０の径サイズに応じて、前記ボス４１に嵌め付ける前記スペーサ板４９の枚数を増減することにより、前記ディスク２０が咬合する前記弾性パット４３間の間隔を調整可能に構成してなることを特徴とする。
【発明の効果】
【００１８】
請求項１に記載の発明によれば、（１）駆動ホイールを駆動回転させて外周の歯部からディスクケーブルを繰り出すとき、その間は常に、ディスクケーブルの繰り出し方向を弛み取り部材のガイド板部でガイドし、繰り出し始め位置においてディスクケーブルの弛みを取ることができる。このようにディスクケーブルには、繰り出し始め位置において弛みを生じさせない結果、従来のごとくディスクケーブルの弛み部分が駆動ホイールの歯に絡み付いて巻き込まれ、ケーブル断線の事態を招いて飼料搬送不能となるなど、重大なトラブルが発生する弊害を確実になくすことができる。また、（２）弛み取り部材は、支持アーム部の軸係合凹部において、駆動軸を支点として回動させることにより、ガイド板部のガイド角度位置を、ディスクケーブルの繰り出し方向の角度位置に合わせて調整することができる。従って、たとえば駆動ホイールに対するディスクケーブルの繰り出し方向の角度が異なる場合や、ディスクケーブルの繰り出し始め位置自体が上下に異なる場合などであっても、弛み取り部材を回動させてガイド板部のガイド角度位置を調整し、その調整位置で固定することにより、簡単に各社間の違いに適合させることができる。【００１９】
請求項２に記載の発明によれば、ディスクケーブルを配管内を走行させて飼料を搬送するとき、ディスクケーブルが、たとえ配管内で飼料の流れに押されて浮き上がろうとしても、搬送パイプ内の上方から、ケーブル押え金具でディスクケーブルの浮き上がりを押え、配管内の底面部位に沿って走行するように案内する。したがって、配管内に、その底側にも飼料を取り残すことなく、すべてディスクケーブルにより搬送し、その結果、飼料溜りの発生を完全になくしてケーブル断線等のトラブル発生もなく、しかも、配管内で飼料分離の問題（飼料群が飼料搬送路中で例えば表層側の粗い粒子と底側に取り残される添加剤等の微細な成分とに分離する問題。）も全く発生させないで、搬送効率を著しく向上させ、衛生面の問題も完全に解消することができる。【００２０】
請求項３に記載の発明によれば、（１）ケーブル押え金具の押え棒体が丸棒製で、しかも、配管内において、飼料が搬送されるケーブル走行方向に沿ってディスクケーブル上に入り込んだ状態の凸状に曲げ成形してなるため、飼料搬送時、この押え棒体が抵抗となって飼料の搬送を妨げることなく、ディスクケーブルの浮き上がり押え作用を効果的に発揮することができる。更に、（２）ケーブル押え金具は、押え棒体の取付カバーを、搬送パイプの外周に抱き付けて着脱自在に装着する構成であるため、エンドレスの配管において、ディスクケーブルの浮き上がり押えの必要な箇所に、手間なく簡単に付け替えたりすることができる。【００２１】
請求項４に記載の発明によれば、（１）飼料搬送路が上側開放の溝形な飼料樋で形成されるため、飼料搬送時、ディスクケーブルで運ばれる飼料がたとえ多量でも、その余りは上方の空隙へ退避することが可能であり、そのため飼料が樋内壁面に強く接触する面積が少なくて済み、その結果、それだけ摩擦抵抗が小さく、飼料をスムーズに飼料搬送路を通して搬送し、飼料搬送量を倍増させることができる。加えて、（２）飼料搬送路は、溝底部がディスクケーブルのディスク形状に合わせて湾曲した形状の飼料樋で形成するため、ディスクの径サイズは問わず、大小各種サイズのディスクを有したディスクケーブルを広く使用することができる。【００２２】
請求項５に記載の発明によれば、飼料樋が飼料搬送路を上向きに開放した溝形であるため、飼料投入位置に、別途に飼料タンク等を備えた端飼料補給装置を設置する必要がなく、飼料を飼料樋へ適宜手段で直接投入することによって簡単に供給することができる。しかも、飼料として、粒子の大きい粗餌、粒子の小さい粒餌の他、粉餌でもよく、それら乾燥飼料に限らず、練り餌（リキッド飼料）などでもよく、飼料の種類を問わず、いずれも飼料樋へ直接投入して搬送することができる。なお、豆腐カスなどの生ゴミを精製した飼料であっても、これを投入して搬送することも可能である。【００２３】
請求項６に記載の発明によれば、ディスクケーブルを飼料樋内を走行させて飼料を搬送するとき、ディスクケーブルが、たとえ飼料樋内で飼料の流れに押されて浮き上がろうとしても、樋状レールの上方から、ケーブル押え金具でディスクケーブルの浮き上がりを押え、飼料樋内の溝底面に沿って走行するように案内する。したがって、飼料樋内に、その底側にも飼料を取り残すことなく、すべてディスクケーブルにより搬送し、その結果、飼料溜りの発生を完全になくしてケーブル断線等のトラブル発生も無く、しかも、飼料樋内で前記飼料分離の問題も全く発生させないで、搬送効率を著しく向上させ、衛生面の問題も完全に解消することができる。【００２４】
請求項７に記載の発明によれば、（１）ケーブル押え金具の押え棒が丸棒製で、しかも、飼料樋内において、飼料が搬送されるケーブル走行方向に沿ってディスクケーブル上に入り込んだ状態の凸状に曲げ成形してなるため、飼料搬送時、この押え棒が抵抗となって飼料の搬送を妨げることなく、ディスクケーブルの浮き上がり押え作用を効果的に発揮することができる。更に、（２）ケーブル押え金具は、押え棒の取付カバーを、樋状レール上に着脱自在に被せる構成であるため、エンドレスの飼料樋において、ディスクケーブルの浮き上がり押えの必要な箇所に、手間なく簡単に付け替えたりすることができる。【００２５】
請求項８に記載の発明によれば、稼動時、各コーナー部にて、個別にケーブル駆動部の駆動モータを作動して各々の駆動ホイールを駆動回転し、同じディスクケーブルを、各コーナー部の駆動モータで分担して飼料搬送路を通して走行させる駆動負荷分担方式であるため、ディスクケーブルがほとんど負荷抵抗なく飼料搬送路を走行し、その結果、個々に大型な駆動モータを用いなくても、また、飼料搬送路の長さにも関係なく、ディスクケーブルで搬送する飼料の搬送速度や搬送量を、前記１駆動部方式に比べて更に倍増させることができる。【００２６】
請求項９に記載の発明によれば、ディスクケーブルを、飼料搬送路内を弛みなく強く引っ張りながら回送する一方、ケーブル駆動部の駆動ホイールにおいて、各々の凹面部上にディスクを立てて載せ、ディスク間のケーブル部は凸部上に担いだ状態で載せ、ケーブル部において、常に凸部と２つの凹面部の３点で支持しながら走行させる構成であるため、ディスクケーブルは、ホイール周りで局部的に屈折することなく、リム外周と同心的な円弧を描きながら送られ、これにより、ケーブル部の何処にも、金属疲労の原因となる折り曲げ負荷が加わることなくスムーズに回動し、従来、問題となったケーブル断線の発生を確実に防止することができる。その結果、ケーブル断線が原因となる故障の発生を皆無にし、しかも、全体のランニングコストやメンテナンス費用を最小限に抑えてコスト的にも著しく有利な飼料搬送装置を提供することができる。【００２７】
請求項１０に記載の発明によれば、リムは、ディスクケーブルのディスクの径サイズに応じて、ボスに嵌め付けるスペーサ板の枚数を増減することにより、ディスクを咬合させる弾性パット間の間隔を調整し、これにより、使用するディスクケーブルに対し、ディスクの径サイズ毎に、別個の駆動ホイールを必要とすることなく、各種径サイズのディスクにアジャストさせて、常に共通の駆動ホイールを使用することができる。また、駆動ホイールにおいて、経時、弾性パッドのディスクガイド溝がたとえ磨耗したとしても、弾性パッドをボスから取り外し、ディスクガイド溝の磨耗の程度に応じて必要な数のスペーサ板を抜き取り、ディスクガイド溝の弾性パット間の間隔を調節することにより、ディスクガイド溝を常にディスクに対し簡単にアジャストすることができ、その結果、ディスクケーブルの駆動時、ディスクが駆動ホイールのディスクガイド溝を通過するときに、スリップすることなく、常にディスクガイド溝に嵌り込んでスムーズに咬合し、正確に駆動伝達させることができる。
【図面の簡単な説明】
【００２８】
【図１】図１は本発明の第１例の飼料搬送装置に備えたケーブル駆動部のケーブル弛み取り構造を示す斜視図である。
【図２】図２は第１例のケーブル駆動部の分解斜視図である。
【図３】図３は第１例のケーブル駆動部を示す部分平面図である。
【図４】図４は第１例のケーブル駆動部の内部構造を示す正面図である。
【図５】図５は弛み取り部材の設置角度位置の調整を説明する説明図である。
【図６】図６は本発明の第１例の飼料搬送装置を備えた飼料供給システムの全体構成を示す斜視図である。
【図７】図７は本発明の第２例の飼料搬送装置を備えた飼料供給システムの全体構成を示す斜視図である。
【図８】図８は第２例の飼料搬送装置に備えたケーブル駆動部のケーブル弛み取り構造を示す斜視図である。
【図９】図９は第２例のケーブル駆動部の弛み取り部材の取付構造を示す斜視図である。
【図１０】図１０は本発明の第３例の飼料搬送装置を備えた飼料供給システムの全体構成を示す斜視図である。
【図１１】図１１は第３例の飼料樋による飼料搬送状態をパイプによる場合と比較して示す縦断面図である。
【図１２】図１２は第３例の飼料搬送装置に備えたケーブル駆動部のケーブル弛み取り構造を示す斜視図である。
【図１３】図１３は第３例のケーブル駆動部に備えたパッド型駆動ホイールの分解斜視図である。
【図１４】図１４（Ａ）は第３例の駆動ホイールの組立状態を示す縦断面図、（Ｂ）は大径な搬送ディスクに合わせて間隔調整して組み立てた駆動ホイールを示す縦断面図である。
【図１５】図１５（Ａ）は第３例の駆動ホイールによるディスクケーブルの支持状態を示す部分正面図、（Ｂ）は駆動ホイールをディスクケーブルの巻き掛け状態において示す斜視図、（Ｃ）は小径サイズと大径サイズの搬送ディスクを有したワイヤー型ディスクケーブルと、チェーン型ディスクケーブルをそれぞれ示す部分斜視図である。
【図１６】図１６は本発明の第４例の飼料搬送装置を備えた飼料供給システムの全体構成を示す視図である。
【図１７】図１７は本発明の第５例の飼料搬送装置を備えた飼料供給システムの全体構成を示す斜視図である。
【図１８】図１８は第５例の配管内でのケーブル浮き上がり押え構造を示す部分斜視図である。
【図１９】図１９は第５例の搬送パイプとケーブル押え金具を示す斜視図である。
【図２０】図２０は第５例の搬送パイプにケーブル押え金具を装着する状態を示す説明断面図である。
【図２１】図２１は第５例のケーブル押え金具による配管内でのケーブル浮き上がり押え状態を示す縦断面図である。
【図２２】図２２は一般的な配管内でのケーブル浮き上がり状態を説明する参考断面図である。
【図２３】図２３は本発明の第６例の飼料搬送装置を備えた飼料供給システムの全体構成を示す斜視図である。
【図２４】図２４は第６例のケーブル押え金具と樋状レールの分解斜視図である。
【図２５】図２５は第６例のケーブル押え金具による飼料樋内でのケーブル浮き上がり押え状態を示す縦断面図である。
【図２６】図２６は従来の１駆動部方式の飼料搬送装置を備えた飼料供給システムの全体構成を、一部ケーブル駆動部を拡大して示す斜視図である。
【図２７】図２７は従来の飼料搬送装置に備えた駆動ホイールでのケーブル巻き込みトラブル状態を示す斜視図である。
【図２８】図２８は従来の複数駆動部方式の飼料搬送装置を備えた飼料供給システムの全体構成を示す斜視図である。
【図２９】図２９（Ａ）は複数駆動部方式の飼料搬送装置に備えた駆動ホイールによるケーブル駆動構造を説明する斜視図、（Ｂ）は一部を拡大して示す正面図である。
【符号の説明】
【００２９】
Ａ          飼料搬送装置
Ｂ          飼料補給装置
Ｃ          給餌器
Ｐ          繰り出し始め位置
Ｒ          弛み取り部材
Ｓ          繰り出し方向
Ｗ          飼料投入位置
Ｘ          ケーブル走行方向
ａ          ディスクケーブル
ｂ          飼料
ｇ          歯
ｍ          駆動モータ
ｐ          配管（飼料搬送路）
ｑ          飼料樋（飼料搬送路）
ｓ          配管内の空隙
１２        コーナー部
１５        ケーブル駆動部
２０        ディスクケーブルのディスク
２５・４５  駆動ホイール
３４        弛み取り部材の支持アーム部
３５        ガイド板部
４０        樋状レール
４３        弾性パッド
４９        リング状スペーサ板
７０・８０  ケーブル押え金具
７４・８１  取付カバー
７５        押え棒体
８５        押え棒
【発明を実施すための最良の形態】
【００３０】
以下、本発明を実施するための最良の形態を、図面を参照して詳細に説明する。
【００３１】
図１〜図６は、本発明に係る飼料搬送装置を実施するための最良の形態の第１例を示す。図６は、本発明に係る飼料搬送装置の第１例を備えた飼料供給システムの全体構成を示す。飼料供給システムは、たとえば養豚用の飼料供給システムとして豚舎内に構築されるもので、飼料搬送装置Ａと、その飼料搬送装置Ａへ飼料タンク１０から飼料を飼料ホッパ１１を通して送り込む飼料補給装置Ｂと、送り込まれた飼料を飼料搬送装置Ａで搬送する先の複数の給餌器Ｃとで構成されている。
【００３２】
第１例の飼料搬送装置Ａは、給餌器Ｃの設置レイアウトに応じて複数のコーナー部１２を設けてパイプライン状に構築した配管ｐを備え、この配管ｐを介して飼料補給装置Ｂと各給餌器Ｃ間を連結している。各給餌器Ｃとは、垂設したドロップパイプ１３を介して配管Ｐと連通させている。
【００３３】
配管ｐは、複数の直管状の搬送パイプを繋いで直管部を形成すると共に、直管部を幾つかのコーナー部１２と接続し、内部にエンドレスの飼料搬送路を形成し、中空パイプ内に飼料搬送用のディスクケーブルａを無端状に繋いで挿設している。この配管ｐには、飼料補給装置Ｂと隣接した飼料搬送路の途中に、ディスクケーブルａを駆動するケーブル駆動部１５を付設している。コーナー部１２は、浅底な円形ケース状のコーナーカバー１４内に、コーナー送り用プーリ（図示省略）を回転自在に軸支し、該コーナー送り用プーリにディスクケーブルａを巻き掛け、駆動時に、ディスクケーブルａの回動に従って連れ回りしながら、ディスクケーブルａをコーナー送りする構造になっている。
【００３４】
ディスクケーブルａ（図１〜図４参照）は、例えばインサート樹脂成形法により、所定径サイズの多数のディスク２０を形成すると共に、各ディスク２０の中心に鋼製ワイヤーのケーブル部１９を貫通させて等間隔に組み付けて成形し、ジョイント金具で繋いでエンドレスに結線してなる。なお、ディスクケーブルａとしては、勿論、ケーブル部１９が、たとえば市販のチェーンで形成されたものを用いることもできる。
【００３５】
ケーブル駆動部１５（図２〜図４参照）は、回転系部品を矩形な駆動箱１６内に組み込む一方、駆動箱１６の背面板部１６ａに駆動モータｍを外付けしている。そして、駆動箱１６内では、駆動モータｍの駆動軸１７に駆動ホイール２５を直結して軸支すると共に、従動ホイール３０を連れ回り自在に軸支し、ディスクケーブルａを、駆動ホイール２５と従動ホイール３０間に掛け渡した構成になっている。駆動ホイール２５は、外周の歯部２５ａに有する各歯ｇの歯先面に、ケーブルガイド溝２５ｂを歯厚方向に設けたギヤホイールで、歯溝２５ｃにディスク２０を係合させると共にケーブルガイド溝２５ｂにケーブル部１９を係合させて、ディスクケーブルａを歯部２５ａの外周に巻き掛けてなる。従動ホイール３０は、図４に示すように円盤型プーリで、リム３０ａの外周面上にディスク２０を立てた係止状態で、ディスクケーブルａを巻き掛ける一方、ガイドレール部材２１で案内して配管ｐの長さ方向（図中左右方向）に可動に保持すると共に、テンション付与機構２２に備えたスプリング２３でディスクケーブルａの走行方向Ｘと逆向きにばね付勢し、ディスクケーブルａに常時テンションを付与している。こうして配管ｐ内にエンドレスにディスクケーブルａを張設して引っ張りながら走行させて回送する構造になっている。
【００３６】
そこで、飼料供給システム（図６参照）では、給餌時に飼料搬送装置Ａを稼動し、飼料タンク１０に収容した飼料を、飼料ホッパ１１で補給量を調整しながら、配管ｐ内へ送り込む一方、ケーブル駆動部１５を作動させて駆動ホイール２５を回転駆動し、ディスクケーブルａを配管ｐ内の飼料搬送路に沿って走行させる。そうすると、飼料は、ディスクケーブルａのディスク２０により飼料搬送路を通ってケーブル走行方向Ｘへ搬送され、各給餌器Ｃの真上に達したとき、順次ドロップパイプ１３を通して落下して給餌器Ｃへと供給される。
【００３７】
さて、第１例の飼料搬送装置Ａにおいて、ケーブル駆動部１５は、図４に示すように、ディスクケーブルａを、駆動ホイール２５外周の歯部２５ａの図中下側から巻き込んでから、更に図中上側の接線方向下流側へ繰り出す繰り出し始め位置Ｐに、ディスクケーブルａの図中矢示する繰り出し方向Ｓをガイドして弛みを取る弛み取り部材Ｒを、設置した構成であることが特徴になっている。
【００３８】
第１例の弛み取り部材Ｒは、金属板を用いて作製し、支持アーム部３４と、その支持アーム部３４の先端に固着して設けるガイド板部３５とからなる。支持アーム部３４（図１〜図３参照）は、駆動ホイール２５の略半径サイズに対応させた長さに形成し、基端に、駆動軸１７に合わせて半円形に切り欠いた軸係合凹部３４ａを設ける一方、先端に、そこが次第に先細になるテーパを付け、そのテーパ部分３４ｂにガイド板部３５を固着してなる。また、支持アーム部３４には、先端側にボルト穴３３・３３をあけている。ガイド板部３５は、一端側に細長い槍板部分３５ａを形成し、その槍板部分３５ａを軸係合凹部３４ａ寄りに向けて支持アーム部３４のテーパ部分３４ｂに固着してなる。
【００３９】
斯かる形状の弛み取り部材Ｒは、駆動箱１６の背面板部１６ａと駆動ホイール２５間にて、駆動軸１７に軸係合凹部３４ａを係合させて支持アーム部３４を回転自在に連結する一方、ディスクケーブルａの繰り出し始め位置Ｐにおいて、槍板部分３５ａの先を駆動ホイール２５の歯溝２５ｃに近接させて、ガイド板部３５を、駆動ホイール２５の歯ｇとディスクケーブルａのディスク２０間に配置し、図５（Ａ）でも示すように両者間を遮る角度位置に位置決めてから、ボルト３２・３２で駆動箱１６の背面板部１６ａに支持アーム部３４を固定してなる。
【００４０】
したがって、第１例の飼料搬送装置Ａは、稼動時、駆動ホイール２５を駆動回転させて外周の歯部２５ａからディスクケーブルａを繰り出すとき、その間は常に、ディスクケーブルａの繰り出し方向Ｓを弛み取り部材Ｒのガイド板部３５でガイドし、繰り出し始め位置Ｐにおいてディスクケーブルａの弛みを取ることになる。このようにディスクケーブルａには、繰り出し始め位置Ｐにおいて弛みを生じさせない結果、従来のごとくディスクケーブルａの弛み部分が駆動ホイール２５の歯ｇに絡み付いて巻き込まれ、ケーブル断線の事態を招いて飼料搬送不能となるなど、重大なトラブルが発生する弊害を確実になくすことができる。
【００４１】
また、弛み取り部材Ｒは、支持アーム部３４の軸係合凹部３４ａにおいて、駆動軸１７を支点として回動させることにより、ガイド板部３５のガイド角度位置を、ディスクケーブルａの繰り出し方向Ｓの角度位置に合わせて調整可能な構成になっている。従って、本発明によると、駆動ホイール２５に対するケーブル繰り出し方向Ｓの角度が異なる場合でも、その違いに応じて、図５（Ｂ）に示すように、弛み取り部材Ｒを回動させてガイド板部３５のガイド角度位置を調整し、その調整位置で駆動箱１６に固定することにより、ケーブル繰り出し方向Ｓの角度位置の違いに簡単に適合させることができる。一方、反対に、ディスクケーブルａの繰り出し始め位置Ｐが、図５（Ｃ）に示すように、駆動ホイール２５の下方位置の場合であっても、同様に弛み取り部材Ｒを大きく回動させて、ガイド板部３５のガイド角度位置を調整することにより、ディスクケーブルａの繰り出し始め位置Ｐ自体の違いに対しても、同様に簡単に対応することができる。
【００４２】
次に、図７〜図９は、本発明に係る飼料搬送装置を実施するための最良の形態の第２例を示すものである。第２例は、前記第１例のケーブル駆動部１５の変形例を示している。図７には、本発明に係る飼料搬送装置の第２例を備えた飼料供給システムの全体構成を示し、図８および図９には、第２例の飼料搬送装置Ａのコーナー部１２の構造を示している。したがって、第２例では、以下、前記第１例の構成部分と同じ構成部分には同一の符号を付して説明する。
【００４３】
第２例の飼料搬送装置Ａは、配管ｐのコーナー部１２に、それぞれケーブル駆動部１５を設置し、各ケーブル駆動部別に、駆動ホイール２５の歯ｇにディスクケーブルａのディスク２０を噛み合わせて巻装し、同じディスクケーブルａを、複数の駆動モータｍで分担して駆動するコーナー駆動方式であることが特徴になっている。
【００４４】
第２例のケーブル駆動部１５は、図８および図９に示すように、それぞれ円形なコーナーカバー１４の底面板部１４ａに駆動モータｍを外付けし、コーナーカバー１４内で駆動モータｍの駆動軸１７に駆動ホイール２５を直結して軸支し、駆動ホイール２５の歯ｇにディスクケーブルａのディスク２０を噛み合わせて巻き掛け、ディスクケーブルａを、各コーナー部１２の駆動モータｍで分担して駆動回転する。
【００４５】
更に、第２例の飼料搬送装置Ａにおいて、ケーブル駆動部１５は、それぞれ駆動ホイール２５のディスクケーブルａを繰り出する繰り出し始め位置Ｐに、ディスクケーブルａの繰り出し方向Ｓをガイドして弛みを取る弛み取り部材Ｒを設置した構成であることが特徴になっている。
【００４６】
弛み取り部材Ｒは、コーナーカバー１４の底面板部１４ａと駆動ホイール２５間にて、駆動軸１７に軸係合凹部３４ａを係合させて支持アーム部３４を回転自在に連結する一方、ディスクケーブルａの繰り出し始め位置Ｐにおいて、槍板部分３５ａの先を駆動ホイール２５の歯溝２５ｃに近接させて、ガイド板部３５を、駆動ホイール２５の歯ｇとディスクケーブルａのディスク２０間に配置し、両者間を遮る角度位置に位置決めてから、ボルト３２・３２でコーナーカバー１４の底面板部１４ａに支持アーム部３４を固定してなる。
【００４７】
そこで、斯かる構成の第２例の飼料搬送装置Ａでは、稼動時、各コーナー部１２にて、個別にケーブル駆動部１５の駆動モータｍを作動して各々の駆動ホイール２５を駆動回転し、同じディスクケーブルａを、各コーナー部１２の駆動モータｍで分担して配管ｐ内を通して走行させる。故に、このように駆動負荷分担方式とする第２例の飼料搬送装置Ａでは、ディスクケーブルａがほとんど負荷抵抗なく配管ｐ内を走行し、その結果、個々に大型な駆動モータを用いなくても、また、配管ｐによるパイプライン長さにも関係なく、ディスクケーブルａで搬送する飼料の搬送速度や搬送量を、前記１駆動部方式に比べて倍増させることができる。
【００４８】
しかも、第２例の飼料搬送装置Ａは、各コーナー部１２で駆動ホイール２５を駆動回転し、外周の歯部２５ａからディスクケーブルａを繰り出すとき、その間は常に、ディスクケーブルａの繰り出し方向Ｓを弛み取り部材Ｒのガイド板部３５でガイドし、繰り出し始め位置Ｐにおいてディスクケーブルａの弛みを取る。このように駆動負荷分担方式の飼料搬送装置Ａでも、ディスクケーブルａには、各コーナー部１２の繰り出し始め位置Ｐにおいて弛みを生じさせない結果、従来のごとくディスクケーブルａの弛み部分が駆動ホイール２５の歯ｇに絡み付いて巻き込まれ、ケーブル断線の事態を招いて飼料搬送不能などの重大なトラブルが発生する弊害を確実になくすことができる。故に、駆動負荷分担方式の飼料搬送装置Ａであっても、ディスクケーブルａの弛み防止効果によって、ディスクケーブルａで搬送する飼料の搬送速度や搬送量を倍増させる本来の効果を、いかんなく発揮することができる。
【００４９】
次に、図１０〜図１５は、本発明に係る飼料搬送装置を実施するための最良の形態の第３例を示すものである。第３例は、前記第１例の飼料搬送路および第２例のケーブル駆動部１５の変形例を示している。図１０に、本発明に係る飼料搬送装置の第３例を備えた飼料供給システムの全体構成を示す。したがって、第３例では、以下、前記第１例および第２例の構成部分と同じ構成部分には同一の符号を付して説明する。
【００５０】
第３例の飼料搬送装置Ａは、コーナー駆動部１５の駆動モータｍを、各コーナー部１２に設置した駆動負荷分担方式とする点で、構造的に前記第２例と同一であるが、エンドレスの飼料搬送路が上側開放の溝形な飼料樋ｑで形成された雨樋搬送方式であることが特徴になっている。
【００５１】
飼料樋ｑは、金属板製で、図１１（Ａ）に示すように、溝底部がディスクケーブルａのディスク形状に合わせて略Ｕ形に湾曲した雨樋状に曲げ成形されてなり、全体を図１０に示すように、複数の樋状レール４０を繋いで直樋部を形成すると共に、各直樋部を幾つかのコーナー部１２と接続してエンドレスの飼料搬送路を形成し、その上側開放の飼料搬送路にディスクケーブルａを無端状に繋いで配設している。
【００５２】
第３例のケーブル駆動部１５は、前記第２例と同様に、それぞれ円形なコーナーカバー１４の前記底面板部１４ａに駆動モータｍを外付けし、コーナーカバー１４内で駆動モータｍの駆動軸１７に駆動ホイール４５を直結して軸支し、図１２に示すように、駆動ホイール４５にディスクケーブルａのディスク２０を巻き掛け、その同じディスクケーブルａを、各コーナー部１２の駆動モータｍで分担させて駆動回転するコーナー駆動方式の構造になっている。
【００５３】
この雨樋搬送方式の第３例においても、ケーブル駆動部１５には、それぞれ駆動ホイール４５のディスクケーブルａを繰り出す繰り出し始め位置Ｐに、ディスクケーブルａの繰り出し方向Ｓをガイドして弛みを取る弛み取り部材Ｒを設置した構成になっている。
【００５４】
そこで、第３例の飼料搬送装置Ａでは、稼動時、各コーナー部１２別に、ケーブル駆動部１５の駆動モータｍを作動して駆動ホイール２５を駆動回転し、同じディスクケーブルａを、各駆動モータｍで分担して飼料樋ｑ内の飼料搬送路を走行させる。故に、このように駆動負荷分担方式とする第３例の飼料搬送装置Ａでは、前記第２例と同様に、ディスクケーブルａがほとんど負荷抵抗なく飼料樋ｑ内を走行し、その結果、ディスクケーブルａで搬送する飼料の搬送速度や搬送量を、前記１駆動部方式に比べて倍増させることができる。
【００５５】
しかも、第３例の飼料搬送装置Ａでは、飼料搬送路が上側開放の溝形な飼料樋ｑで形成されるため、この飼料搬送時、図１１（Ａ）に示すように、ディスク２０で運ばれる飼料ｂがたとえ多量でも、その余りは上方の空隙へ退避することが可能であり、そのため飼料が樋内壁面に強く接触する面積が少なくて済み、その結果、それだけ摩擦抵抗が小さく、飼料ｂをスムーズに飼料搬送路を通して搬送することができる。一方、参考のために図１１（Ｂ）に示すとおり、仮に飼料搬送路が第３例と異なりパイプ構造である場合は、パイプ内をディスク２０で運ぶ飼料ｂが多量であると、その余りは逃げ場がなく、そのために飼料がパイプ内面に強く接触して大きな摩擦抵抗を受ける結果、スムーズな飼料搬送が難しく、しかも、開放部分がない密閉構造であるために、飼料の搬送量も制限を受けて少なくなり、搬送効率が低下してしまうことになる。しかし、この点、第３例の飼料搬送装置Ａでは、前記のように飼料搬送路が上側開放の飼料樋ｑであるため、それがパイプ構造である場合に比べ、飼料ｂを効率よくスムーズに搬送し、飼料搬送量も更に倍増させることができる。加えて、飼料搬送路は、溝底部がディスクケーブルａのディスク形状に合わせて湾曲した形状の飼料樋ｑで形成するため、ディスク２０の径サイズは問わず、大小各種サイズのディスクを有したディスクケーブルａを使用することができる。
【００５６】
しかも、第３例の飼料搬送装置Ａでは、各コーナー部１２でそれぞれ駆動ホイール２５を駆動回転し、その外周の歯部からディスクケーブルａを繰り出すとき、その間は常に、ディスクケーブルａの繰り出し方向Ｓを弛み取り部材Ｒのガイド板部３５でガイドし、繰り出し始め位置Ｐにおいてディスクケーブルａの弛みを取る。故に、このように雨樋搬送式飼料搬送装置Ａにおいても、ディスクケーブルａには、各コーナー部１２の繰り出し始め位置Ｐにおいて弛みを発生しないため、従来の如くディスクケーブルａの弛んだ部分が駆動ホイールの歯に絡み付いて巻き込まれ、飼料搬送不能などの重大なトラブルが発生する事態を確実になくすことができる。その結果、雨樋搬送式の飼料搬送装置Ａにおいても、このディスクケーブルａの弛み防止効果によって、ディスクケーブルａで搬送する飼料の搬送速度や搬送量を更に倍増させる本来の効果を、いかんなく発揮することができる。
【００５７】
ところで、この第３例の雨樋搬送式飼料搬送装置Ａでは、ケーブル駆動方式が前記第２例と同じ駆動負荷分担方式であるが、特に駆動ホイール４５は、前記第１例および第２例の駆動ホイール２５の変形例として、図１３〜図１５に示すようにパッド駆動型のギヤホイール構造になっている。
【００５８】
第３例の駆動ホイール４５は、図１３に示すように、中心に駆動軸１７の取付貫通穴４１ａを有する一方、外周に嵌め付け突部４１ｂを有した環状のボス４１と、ボス４１の外周に嵌め付けるリム４２と、リム４２を間に挟んでボス４１の外周に嵌め付ける一対のリング状弾性パッド４３と、その弾性パッド４３を間に挟んで取り付ける一対のリング状の外スペーサ板４４と、これらを挟んで最も外側に取り付ける一対のドーナツ板状の取付円板４６とを備える。
【００５９】
リム４２は、複数枚の等厚なリング状の金属製スペーサ板４９を備えてなる。各スペーサ板４９は、内周にボス４１の嵌め付け突部４１ｂと対応した嵌め付け凹部４９ａを設ける一方、外周に、凹部５５ａと凸部６０ａを交互に且つ等間隔に設けた同じ形状にプレス成形している。凸部６０ａには、そのリム周方向片側を円周方向に凸状の係止段部６１ａを突設している。弾性パッド４３は、それぞれ図示例ではゴム製で、内周にボス４１の嵌め付け突部４１ｂと対応した嵌め付け凹部４３ａを設ける一方、外周に、ディスク２０に対応させて断面円弧のテーパ面４３ｂを成形してなる。
【００６０】
斯かる部品構成の駆動ホイール４５は、ボス４１の外周に凹凸の嵌め合いで、図示例では３枚のスペーサ板４９を嵌め付け、互いに重ね合わせることにより単一の積層リム４２を形成する。それから、積層リム４２を間に挟んで両側から、弾性パッド４３を、互いのテーパ面４３ｂを対向させて、凹凸の嵌め合いでボス４１の外周に嵌め付け、それら弾性パッド４３を、それぞれ外スペーサ板４４を介して取付円板４６で挟み付け、ボス４１にボルトとナットで着脱可能に固定し、図１４（Ａ）に示すように組み立ててなる。
【００６１】
したがって、組み立てた駆動ホイール４５には、積層リム４２において、その外周に、図１５（Ａ）に示すように、ディスクケーブルａを巻き掛けたときに起立状態のディスク２０を載せる凹面部５５と、隣り合う搬送ディスク２０・２０間のケーブル部１９を担いで載せる凸部６０とが、交互に且つ等間隔に形成される。また、凸部６０には、その下部側に、コーナー送りするときにディスクケーブルａのディスク２０が押し当たる係止段部６１が形成されてなる。
【００６２】
更に、組み立てた駆動ホイール４５には、弾性パッド４３において、外周面に、図１４（Ａ）に示すように、向かい合う互いのテーパ面４３ｂによって、ディスクケーブルａのディスク２０が咬合可能な断面円形状のディスクガイド溝６５が形成される。そして、駆動ホイール４５には、図１５（Ｂ）に示すように、個々のディスク２０を弾性パッド４３のディスクガイド溝６５に嵌め込んだ状態でディスクケーブルａが巻き掛けられるようになっている。
【００６３】
さて、第３例の飼料搬送装置Ａでは、稼動時、ディスクケーブルａを、エンドレスの飼料樋ｑ内で弛みなく強く引っ張りながら走行させるが、ケーブル駆動部１５内において、駆動ホイール４５は、図１５（Ｂ）に示すように、積層リム４２の凹面部５５上にディスク２０を立てて載せ、ディスク２０間のケーブル部１９を凸部６０上に担いだ状態で載せ、ケーブル部１９において、凸部６０と２つの凹面部５５・５５の３点で支持しながら回動させる。そのため、ディスクケーブルａは、駆動ホイール４５の周りでも、局部的に屈折することなく、即ちケーブル部１９の何処にも折り曲げ負荷を受けることなく、積層リム４２と同心的な円弧を描きながらスムーズにコーナー駆動される。
【００６４】
また、ディスクケーブルａは、個々のディスク２０が弾性パッド４３のディスクガイド溝６５に嵌り込んで咬合しながら回動し、そのため、途中で引っ掛かったりスリップしたりすることなく、常にスムーズに走行する。
【００６５】
ところで、第３例の飼料搬送装置Ａは、駆動ホイール４５において、リム４２と弾性パッド４３を、前述のようにボス４１に対し着脱自在に嵌め付ける構成にしている。したがって、リム４２は、ディスクケーブルａのディスク２０の径サイズに応じて、ボス４１に嵌め付けるスペーサ板４９の枚数を増減することにより、ディスク２０を咬合させる弾性パット４３・４３間の間隔ｄ〔図１４（Ａ）参照〕を調整可能にしている。
【００６６】
そこで、第３例では、上記図示例のようにディスクケーブルａのディスク２０が中型径サイズの場合は、それに合わせて、リム４２を、スペーサ板４９をボス４１に３枚だけ嵌め付けた厚さの積層構造とした。しかし、図１５（Ｃ）に示すように、上記中型径サイズより一段大きい、大径サイズのディスク２０ａを有したディスクケーブルａ１を使用する場合は、大径サイズに合わせて、図１４（Ｂ）に示すように、ボス４１に嵌め付けるスペーサ板４９の枚数を５枚に増やし、弾性パット４３・４３間の間隔ｄを、大径なディスク２０ａが咬合可能な幅サイズに調整し、その分だけ間隔ｄを広くする。これとは反対に、図１５（Ｃ）に示すように、上記中型径サイズより一段小さい、小径サイズのディスク２０ｂを有したディスクケーブルａ２を使用する場合は、小径サイズに合わせて、ボス４１に嵌め付けるスペーサ板４９の枚数を減らし、弾性パット４３・４３間の間隔ｄを、小径なディスク２０ｂが咬合可能な幅サイズに調整し、その分だけ間隔ｄを狭くする。
【００６７】
他方、第３例では、図１５（Ｃ）に示すように、ディスク２０ｃをその中心にチェーン６６を通して等間隔に組み付けたチェーン型ディスクケーブルａ３を、上記したワイヤー型ディスクケーブルａと同様に、駆動ホイール４５に巻き掛けて使用することもできる。この場合も同様に、チェーン型ディスクケーブルａ３のディスク２０ｃの径サイズに応じて、前記ボス４１に嵌め付けるスペーサ板４９の枚数を増減することにより、ディスク２０ｃを咬合させる弾性パット４３・４３間の間隔ｄを調整すれば、チェーン型ディスクケーブルａ３を、そのまま同じ駆動ホイール４５に巻き掛けて使用することができる。
【００６８】
更に、第３例の飼料搬送装置Ａは、駆動ホイール４５において、経時、弾性パッド４３のディスクガイド溝６５が磨耗すると、いったん弾性パッド４３をボス４１から外し、ディスクガイド溝６５の磨耗の程度に応じて、必要な数のスペーサ板４９を抜き取り、ディスクガイド溝６５の弾性パット４３・４３間の間隔ｄを調節する。そして、ディスクケーブルａの駆動時、ディスク２０が駆動ホイール４５のディスクガイド溝６５を通過するときに、スリップすることなく、常にディスクガイド溝６５に嵌り込んでスムーズに咬合し、正確に駆動伝達されるように調整することができる。
【００６９】
次に、図１６は、本発明に係る飼料搬送装置を実施するための最良の形態の第４例を示すものである。第４例は、前記第３例の雨樋搬送式飼料搬送装置Ａに備えた飼料搬送路の更なる変形例を示している。図１６には、第４例の飼料搬送装置Ａを備えた飼料供給システムの全体構成を示している。したがって、第４例では、以下、前記第３例の構成部分と同じ構成部分には同一の符号を付して説明する。
【００７０】
第４例の飼料搬送路を構成する飼料樋ｑは、前記第１例〜第３例では飼料補給装置Ｂの設置位置に相当する飼料投入位置Ｗを、上方から飼料搬送路内へと飼料ｂを手動で直接投入可能な高さ位置に低く形成している。
【００７１】
したがって、第４例によると、飼料樋ｑが飼料搬送路を上向きに開放した溝形であるため、飼料投入位置Ｗに、前記第１例〜第３例のように飼料補給装置Ｂを設置する必要がなく、図示の如く、飼料ｂを飼料樋ｑへ適宜手段で直接投入することによって供給することができる。しかも、飼料ｂとして、粒子の大きい粗餌、粒子の小さい粒餌の他、粉餌でもよく、それら乾燥飼料に限らず、練り餌（リキッド飼料）などでもよく、飼料の種類を問わず、いずれも飼料樋ｑへ直接投入して搬送することができる。なお、豆腐カスなどの生ゴミを精製した飼料であっても、これを投入して搬送することも可能である。
【００７２】
なお、上述した第３例と第４例の雨樋式飼料搬送装置Ａでは、ディスクケーブルａの駆動方式を前記第２例と同じ駆動負荷分担方式としたが、前記第１例のようにケーブル駆動部１５が１つの１駆動部方式である場合を排除しないのは、勿論である。
【００７３】
次に、図１７〜図２１は、本発明に係る飼料搬送装置を実施するための最良の形態の第５例を示すものである。第５例は、前記第２例のパイプ式飼料搬送路の変形例を示している。図１７は、本発明に係る飼料搬送装置の第５例を備えた飼料供給システムの全体構成を示している。したがって、第５例では、以下、前記第２例の構成部分と同じ構成部分には同一の符号を付して説明する。
【００７４】
第５例の飼料搬送装置Ａでは、ケーブル駆動方式が、ケーブル駆動部１５を各コーナー部１２に設置した駆動負荷分担式であると共に、飼料搬送方式が、飼料搬送路を、複数の搬送パイプ６９をエンドレスに接続した配管ｐで形成し、その配管ｐ内に無端状のディスクケーブルａを内蔵したパイプ搬送構造である点で、第２例と同様であるが、配管ｐの搬送パイプ６９に、搬送パイプ６９内の上方から、配管ｐ内を走行するディスクケーブルａの浮き上がりを押え配管ｐ内の底面部位に沿って案内する、ケーブル押え金具７０を備えた構成であることが特徴になっている。
【００７５】
第５例のケーブル押え金具７０は、図１８に示すように、搬送パイプ６９の外周に抱き付かせて取り付けている。搬送パイプ６９には、図１９（Ａ）に示すように、パイプ周面の上側における押え金具取付位置に、切欠き穴６９ａをあけている。一方、ケーブル押え金具７０は、図１９（Ｂ）に示すように、金属板を搬送パイプ６９の周面形状に合わせて曲げ成形し、半円形より円周長いの長い円弧管状をなす取付カバー７４と、取付カバー７４の内周面に固定する押え棒体７５からなる。押え棒体７５は、丸棒材を用いて組み立て、それぞれ両端部７６ａ寄りで屈曲させて、両端部７６ａ間で凸状に押え軸部７６ｂが形成されるように曲げ成形した一対の押え丸棒７６を備え、これら押え丸棒７６を、各々の一端間にピン状連結棒７７を溶接して平行に並べて連結すると共に、各々の押え軸部７６ｂ上にピン状支持棒７８の一端を溶接して立設してなる。ケーブル押え金具７０は、取付カバー７４の内周面に、支持棒７８の他端と、押え丸棒７６の他端をそれぞれ溶接し、押え軸部７６ｂが下向きで、且つ連結棒７７側を取付カバー７４から露出させた状態で、押え棒体７５を取付カバー７４に組み付けた構成になっている。
【００７６】
斯かる第５例のケーブル押え金具７０は、図２０（Ａ）に示すように、搬送パイプ６９の切欠き穴６９ａから、押え棒体７５の連結棒７７側を差し込んで、いったん取付カバー７４をバネ性に抗して押し開いてから、搬送パイプ６９の外周に抱き付け、図２０（Ｂ）に示すように搬送パイプ６９に着脱自在に装着する。すると、ケーブル押え金具７０は、押え棒体７５の押え軸部７６ｂが配管ｐ内においてケーブル走行方向Ｘに沿ってディスクケーブルａ上に入り込んだ状態で搬送パイプ６９に組み付けられる。こうしてケーブル押え金具７０は、図１７に示すように、たとえば１ｍの略等間隔に配管ｐ上に付設し、その配管ｐにおいて、図２１に示すように、搬送パイプ６９内で上方から、配管ｐ内を走行するディスクケーブルａの浮き上がりを押え棒体７５で押える構造になっている。
【００７７】
そこで、配管ｐ内でディスクケーブルａを走行させて飼料ｂを搬送する場合、飼料搬送量が多くなると、参考のために図２２に示すように、一般に、ディスクケーブルａは、配管ｐ内で飼料ｂの流れに押され、力学的に配管ｐ内上方にあいた空隙ｓ側へ逃げて浮き上がる傾向にある。したがって、ディスクケーブルａが配管ｐ内で浮き上がり状態のまま走行し続けると、配管ｐ内では飼料ｂが表層側のみ部分的に運ばれることになり、その結果、配管ｐ内には、底側に大量な飼料ｂが取り残されて飼料溜りを発生する。すると、経時、飼料溜りの飼料が凝固し、この飼料の固まりがディスクケーブルａの走行の大きな負荷抵抗になり、それが原因でディスクケーブルａが断線してしまう事態を招く場合がある。しかも、通常、飼料ｂは、粒径の粗い粒子と、各種栄養素を含む添加剤など微細な成分とが混合されたものであるが、このように配管ｐ内で飼料ｂが表層側のみ部分的に運ばれると、表層側の粗い粒子と、底側に取り残される微細な成分とが分離する問題（飼料の分離）が発生して搬送効率の著しい低下を招き、また不衛生であるという飼料搬送装置にとって重大な問題が発生する。
【００７８】
ところが、第５例の飼料搬送装置Ａでは、稼動時、コーナー部１２別に分担してケーブル駆動部１５の駆動モータｍを駆動し、ディスクケーブルａを配管ｐ内を走行させて飼料ｂを搬送するが、そのとき、ディスクケーブルａが配管ｐ内で飼料ｂの流れに押されて浮き上がろうとしても、図２１に示すように、搬送パイプ６９内の上方から、それぞれケーブル押え金具７０の押え棒体７５でディスクケーブルａの浮き上がりを押え、配管ｐ内の底面部位に沿って走行するように案内する。
【００７９】
したがって、第５例の飼料搬送装置Ａによると、稼動時、配管ｐ内に、その底側にも飼料ｂを取り残すことなく、すべてディスクケーブルａにより搬送し、その結果、飼料溜りの発生を完全になくしてディスクケーブルａの断線等のトラブル発生も無く、しかも、飼料分離の問題も発生させないで搬送効率を著しく向上させ、衛生面の問題もなくすことができる。このとき、第５例のケーブル押え金具７０は、押え棒体７５を、細長い丸棒材を用いて組み立て、配管ｐ内において、飼料ｂが搬送されるケーブル走行方向Ｘに沿ってディスクケーブルａ上に入り込んだ状態で搬送パイプ６９に組み付けているため、押え棒体７５が抵抗となって飼料ｂの搬送を妨げることなく、ディスクケーブルａの浮き上がり押え作用を効果的に発揮することができる。
【００８０】
なお、上述した第５例の飼料搬送装置Ａでは、ディスクケーブルａの駆動方式を駆動負荷分担方式としたが、前記第１例のようにケーブル駆動部１５が１つの１駆動部方式である場合を排除しないのは、勿論である。
【００８１】
次に、図２３〜図２５は、本発明に係る飼料搬送装置を実施するための最良の形態の第６例を示すものである。第６例は、前記第３例の雨樋型飼料搬送路の変形例を示している。図２３には、本発明に係る飼料搬送装置の第６例を備えた飼料供給システムの全体構成を示している。したがって、第６例では、以下、前記第３例の構成部分と同じ構成部分には同一の符号を付して説明する。
【００８２】
第６例の飼料搬送装置Ａでは、ケーブル駆動方式が、ケーブル駆動部１５を各コーナー部１２に設置した駆動負荷分担方式であると共に、飼料搬送式が、飼料搬送路を、上側開放の溝形の樋状レール４０をエンドレスに接続した飼料樋ｑで形成し、飼料樋ｑ内に無端状のディスクケーブルａを配設した雨樋搬送構造である点で、前記第３例と同じであるが、飼料樋ｑを形成する樋状レール４０に、その上方から、飼料樋ｑ内を走行するディスクケーブルａの浮き上がりを押え飼料樋ｑ内の溝底面に沿って案内する、ケーブル押え金具８０を備えた構造であることが特徴になっている。
【００８３】
第６例のケーブル押え金具８０は、図２４に示すように、樋状レール４０の上側開放部形状に対応させた外形サイズの取付カバー８１と、取付カバー８１に固定した２組の押え棒８５を備えてなる。取付カバー８１は、長方形な金属板を用い、その金属板の幅方向両側縁を互いに向き合う内向きに角度を付けて屈曲し、その両側縁に挟み込み片８１ａを曲げ成形してなる。一方、各組の押え棒８５は、丸棒製で、両端部８５ａ寄りで屈曲させて、両端部８５ａ間で凸状に押え軸部８５ｂが形成されるように曲げ成形してなる。そして、取付カバー８１の挟み込み片８１ａを有する内面に、両端部８５ａを溶接して２本ずつ互いに平行に固着してなる。
【００８４】
このケーブル押え金具８０は、押え棒８５が下向きの取付カバー８１を、樋状レール４０の上側開放部に被せる。そのとき、取付カバー８１は、樋状レール４０両側の開放側上縁４０ａに、挟み込み片８１ａをバネ性に抗し押し開き気味にして係合し、開放側上縁４０ａを挟み込むように樋状レール４０に被せて着脱自在に取り付ける。すると、ケーブル押え金具８０は、平行な押え棒８５の押え軸部８５ｂが、図２５に示すように、飼料樋ｑ内においてケーブル走行方向Ｘに沿ってディスクケーブルａ上に入り込んだ状態で樋状レール４０上に組み付けられる。こうしてケーブル押え金具８０は、図２３に示すように、たとえば略等間隔にエンドレスの飼料樋ｑ上に付設し、この飼料樋ｑにおいて、図２５に示すように、樋状レール４０内の上方から、飼料樋ｑ内を走行するディスクケーブルａの浮き上がりを押え棒８５で押える構造になっている。
【００８５】
そこで、飼料樋ｑ内をディスクケーブルａを走行させて飼料を搬送する場合、図示省略するが、飼料搬送量が多くなると、飼料樋ｐは上方が開放した形状であるため、一般に、ディスクケーブルａは、飼料樋ｑ内で飼料ｂの流れに押され、力学的に飼料樋ｑの上方開放側へ逃げて、場合によっては、弓なりに浮き上がってしまう。したがって、ディスクケーブルａが飼料樋ｑ内で浮き上がり状態のまま走行し続けると、前述した第５例の場合と同様に、飼料樋ｑ内では飼料ｂが表層側のみ部分的に運ばれることになり、その結果、飼料樋ｑ内には、底側に大量な飼料ｂが取り残されて飼料溜りを発生する。すると、経時、飼料溜りの飼料が凝固し、この飼料の固まりがディスクケーブルａの走行の大きな負荷抵抗となり、それが原因でディスクケーブルａが断線する事態を招く場合がある。しかも、このように飼料樋ｑ内で飼料ｂが表層側のみ部分的に運ばれると、やはり第５例の場合と同様、表層側の粗い粒子と、溝底側に取り残される微細な添加剤等の栄養成分とが分離する飼料分離の問題を生じて搬送効率が悪く、また不衛生でもあるという重大な問題が発生する。
【００８６】
ところが、第６例の飼料搬送装置Ａでは、稼動時、コーナー部１２別に分担してケーブル駆動部１５の駆動モータｍを駆動し、ディスクケーブルａを飼料樋ｑ内を走行させて飼料ｂを搬送するが、そのとき、飼料樋ｑ内でディスクケーブルａが、たとえ飼料樋ｑ内で飼料ｂの流れに押されて浮き上がろうとしても、図２５に示すように、樋状レール４０の上方から、ケーブル押え金具８０の押え棒８５でディスクケーブルａの浮き上がりを押えて、ディスクケーブルａが飼料樋ｑ内の溝底面に沿って走行するように案内する。
【００８７】
したがって、第６例の飼料搬送装置Ａによっても、稼動時、飼料樋ｑ内に、その溝底側に飼料ｂを取り残すことなく、すべてディスクケーブルａにより搬送し、その結果、飼料溜りの発生を完全になくしてディスクケーブルａの断線などのトラブル発生も無く、しかも、飼料分離の問題も発生させないで搬送効率を著しく向上し、衛生面の問題もなくすことができる。このとき、第６例のケーブル押え金具７０は、押え棒８５が細長い丸棒からなり、飼料樋ｑ内において、飼料ｂが搬送されるケーブル走行方向Ｘに沿ってディスクケーブルａ上に入り込んだ状態で樋状レール４０に組み付けているため、押え棒８５が抵抗となって飼料ｂの搬送を妨げることなく、ディスクケーブルａの浮き上がり押え作用を効果的に発揮することができる。
【００８８】
なお、上述した第６例の飼料搬送装置Ａでは、ディスクケーブルａの駆動方式を前記第２〜第５例と同じ駆動負荷分担方式としたが、前記第１例のようにケーブル駆動部１５が１つの１駆動部方式である場合を排除しないのは、勿論である。
【産業上の利用分野】
【００８９】
本発明は、肥育牛・養豚・養鶏用に限らず、各種の飼料をディスクケーブルを駆動させて搬送する飼料搬送の用途に広く適用できる。
【図１】
2006087774.tif 000002
【図２】
2006087774.tif 000003
【図３】
2006087774.tif 000004
【図４】
2006087774.tif 000005
【図５】
2006087774.tif 000006
【図６】
2006087774.tif 000007
【図７】
2006087774.tif 000008
【図８】
2006087774.tif 000009
【図９】
2006087774.tif 000010
【図１０】
2006087774.tif 000011
【図１１】
2006087774.tif 000012
【図１２】
2006087774.tif 000013
【図１３】
2006087774.tif 000014
【図１４】
2006087774.tif 000015
【図１５】
2006087774.tif 000016
【図１６】
2006087774.tif 000017
【図１７】
2006087774.tif 000018
【図１８】
2006087774.tif 000019
【図１９】
2006087774.tif 000020
【図２０】
2006087774.tif 000021
【図２１】
2006087774.tif 000022
【図２２】
2006087774.tif 000023
【図２３】
2006087774.tif 000024
【図２４】
2006087774.tif 000025
【図２５】
2006087774.tif 000026
【図２６】
2006087774.tif 000027
【図２７】
2006087774.tif 000028
【図２８】
2006087774.tif 000029
【図２９】
2006087774.tif 000030
【国際調査報告】
2006087774.tif 000031
2006087774.tif 000032
2006087774.tif 000033
2006087774.tif 000034